(57)【要約】【課題】エアフローを作るのに必要な、空調機の冷気を搬送するエネルギーを低減する技術を提供する。【解決手段】ラック１１０に収容される電子機器と、電子機器を冷却させる冷気を送風する空調機１００と、複数のラック１１０を並べることで構成されるラック列１２０と、を有するデータセンタであって、第２踊り場１７４から第２踊り場１７４よりも高い位置にある第１踊り場１７１まで延びる階段１７０を有し、空調機１００は、第１踊り場１７１に配置され、ラック列１２０は、ラック１１０が階段１７０の昇降方向に列状に並べて配置されることで構成される。【選択図】図１
2015197262.tif 000002
【特許請求の範囲】
【請求項１】
電子機器を収容するラックと、前記電子機器を冷却させる冷気を送風する空調機と、複数の前記ラックを列状に並べることで構成されるラック列と、を有するデータセンタであって、
第１踊り場から前記第１踊り場よりも低い位置にある第２踊り場まで延びる階段を有し、
前記空調機は、前記第１踊り場に配置され、
前記ラック列は、前記ラックが前記階段の昇降方向に列状に並べて配置されることで構成される、
データセンタ。
【請求項２】
請求項１に記載のデータセンタにおいて、
前記ラック列を構成するラックは、他のラック列を構成するラックと吸気口同士と、排気口同士とが通路を挟んで対向するように配置され、
前記ラック列を構成する前記ラックの吸気口側に、前記空調機からの前記冷気が送風されるコールドアイルが形成され、前記ラックの排気口側にホットアイルが形成される、
データセンタ。
【請求項３】
請求項２に記載のデータセンタにおいて、
前記階段の踏面の一部は、グレーチングで形成され、
前記空調機が床下の通風空間に向けて送風した前記冷気は、前記グレーチングを介して前記コールドアイルへ吹き出される、
データセンタ。
【請求項４】
請求項３に記載のデータセンタにおいて、
前記通風空間の上面の一部を覆う板状部材をさらに有する、データセンタ。
【請求項５】
電子機器を収容するラックと、前記電子機器を冷却させる冷気を送風する空調機と、複数の前記ラックを列状に並べることで構成されるラック列と、を有するデータセンタにおける配置方法であって、
前記ラック列を構成する前記ラックを、第１踊り場から前記第１踊り場よりも低い位置にある第２踊り場まで延びる階段の昇降方向に列状に並べて配置するステップと、
前記第１踊り場に前記空調機を配置するステップと、
を有するデータセンタにおける配置方法。
【発明の詳細な説明】
【技術分野】
【０００１】
本発明は、データセンタおよびデータセンタにおける配置方法に関する。
【背景技術】
【０００２】
データセンタには、複数のサーバラック（以下、ラックと呼ぶ場合がある）が設置される。それぞれのラックは、箱形の筐体であり、それぞれのラックには、サーバ装置、ストレージ装置、ネットワーク装置などの電子機器が収容される。
【０００３】
また、データセンタでは、複数のラックを列状に並べたラック列が形成される。データセンタ内には複数のラック列が形成され、その際にラック列の吸気口同士および排気口同士が通路を挟んで対向するように配置される。そして、ラック列の吸気口側の通路にコールドアイルが形成され、ラック列の排気口側の通路にホットアイルが形成される。
【０００４】
空調機からコールドアイルへ送風される冷気は、ラックのそれぞれの吸気口から吸引される。その後、ラックに収容された電子機器により暖められた空気は、それぞれのラックの排気口からホットアイルへ排出され、空調機により冷却され、再びコールドアイルへ送風される。このようなエアフローが作られることで、電子機器の冷却が可能になる。
【０００５】
特開２００４−１８４０７０号公報（特許文献１）には、ラックの前面に回り込み防止壁を設置し、コールドアイルとホットアイルとの間を分離することが記載されている。
【先行技術文献】
【特許文献】
【０００６】
【特許文献１】特開２００４−１８４０７０号公報
【発明の概要】
【発明が解決しようとする課題】
【０００７】
上述したエアフローを作るためには、空調機から送風される冷気の風量を一定以上にする必要がある。
【０００８】
特許文献１に記載された技術では、コールドアイルとホットアイルとの間を分離することができる。しかし、特許文献１に記載された技術では、上述したエアフローを作るために必要な冷気を運搬するのに大きなエネルギーが必要だった。また、空調機の消費電力も大きかった。
【０００９】
本発明の目的は、エアフローを作るのに必要な、空調機の冷気を運搬するエネルギーを低減する技術を提供することである。
【課題を解決するための手段】
【００１０】
本願において開示される発明のうち、代表的なものの概要を簡単に説明すれば、次の通りである。
【００１１】
本発明の一実施の形態は、電子機器を収容するラックと、前記電子機器を冷却させる冷気を送風する空調機と、複数の前記ラックを列状に並べることで構成されるラック列と、を有するデータセンタであって、第１踊り場から前記第１踊り場よりも低い位置にある第２踊り場まで延びる階段を有する。また、前記空調機は、前記第１踊り場に配置される。また、前記ラック列は、前記ラックが前記階段の昇降方向に列状に並べて配置されることで構成される。
【００１２】
また、他の実施の形態では、電子機器を収容するラックと、前記電子機器を冷却させる冷気を送風する空調機と、複数の前記ラックを列状に並べることで構成されるラック列と、を有するデータセンタにおける配置方法であって、前記ラック列を構成する前記ラックを、第１踊り場から前記第１踊り場よりも低い位置にある第２踊り場まで延びる階段の昇降方向に列状に並べて配置するステップを有する。また、前記第１踊り場に前記空調機を配置するステップを有する。
【発明の効果】
【００１３】
本願において開示される発明のうち、代表的なものによって得られる効果を簡単に説明すれば以下のとおりである。
【００１４】
本発明の代表的な実施の形態によれば、エアフローを作るのに必要な、空調機の冷気を搬送するエネルギーを低減できるようになる。
【図面の簡単な説明】
【００１５】
【図１】本発明の実施の形態１におけるデータセンタの構成例の概要を示す斜視図である。
【図２】本発明の実施の形態１におけるデータセンタのコールドアイルを側方から観察した図である。
【図３】本発明の実施の形態１におけるデータセンタのホットアイルを側方から観察した図である。
【図４】本発明の実施の形態２におけるデータセンタの構成例の概要を示す平面図である。
【図５】本発明の実施の形態２におけるデータセンタのコールドアイルを側方から観察した図である。
【図６】本発明の実施の形態２におけるデータセンタのコールドアイルを側方から観察した他の図である。
【発明を実施するための形態】
【００１６】
以下、本発明の実施の形態を図面に基づいて詳細に説明する。なお、実施の形態を説明するための全図において、同一部には原則として同一の符号を付し、その繰り返しの説明は省略する。
【００１７】
[実施の形態１]
本発明の実施の形態１は、空調機から送風される冷気が高度の高い位置から低い位置へと流れ、ラックから排気される熱気が高度の低い位置から高い位置へと流れるという性質を利用することで、エアフローを作るのに必要な、空調機の冷気を搬送するエネルギーを低減するものである。
【００１８】
つまり、本発明の実施の形態１は、第１踊り場から第１踊り場よりも低い位置にある第２踊り場まで延びる階段を有する。そして、空調機は、第１の踊り場に配置され、ラック列は、ラックを階段の昇降方向に列状に並べることで構成される。そして、空調機から送風される冷気は、コールドアイルを下方に向かって流れ、ラックから排気される熱気がホットアイルを上方に向かって流れる。これによって、エアフローを作るために空調機の冷気を搬送するエネルギーを低減できるようになる。
【００１９】
図１は、本発明の実施の形態１におけるデータセンタの構成例の概要を示す斜視図である。なお、図１において、データセンタは、説明の便宜の為に模式的に図示されている。
【００２０】
図１に示されるように、データセンタには、第１踊り場１７１から第１踊り場１７１よりも低い位置にある第２踊り場１７４まで延びる階段１７０が設けられる。また、階段１７０の各段は、踏面１７２と蹴込面１７３とで構成される。各踏面１７２は、水平面と平行して設けられる。また、各蹴込面１７３は、鉛直方向に設けられる。なお、各蹴込面１７３を踏面１７２に対して傾斜させて設けるようにしても良い。
【００２１】
データセンタには、複数のラック１１０を列状に並べたラック列１２０が形成される。さらに、データセンタには複数のラック列１２０が形成される。ラック１１０が載置される踏面１７２の踏面寸法は、ラック１１０の幅以上である。そして、各ラック１１０は、階段１７０の昇降方向に列状に各踏面１７２に載置される。これによって、ラック列１２０が形成される。
【００２２】
各ラック１１０には、サーバ装置、ストレージ装置、ネットワーク装置などの電子機器が収容される。ラック１１０の正面には、第１踊り場１７１に載置される空調機１００から送風される冷気１５０が流入する吸気口（不図示）が形成される。また、ラック１１０の背面には、熱気１６０を排気するための排気口（不図示）が形成される。
【００２３】
各ラック１１０は、踏面１７２の幅方向に所定間隔ごとに載置される。その際に、ラック列１２０を構成するラック１１０は、他のラック列１２０を構成するラック１１０と吸気口同士が通路を挟んで対向するように載置される。さらに、ラック列１２０を構成するラック１１０は、他のラック列１２０を構成するラック１１０と排気口同士が通路を挟んで対向するように配置される。そして、ラック１１０の吸気口側にコールドアイル１３０が形成され、ラック１１０の排気口側にホットアイル１４０が形成される。
【００２４】
図２は、本発明の実施の形態１におけるデータセンタのコールドアイルを側方から観察した図である。なお、図２は、説明の便宜の為に模式的に図示されている。
【００２５】
図２に示されるように、空調機１００は、ラック１１０に収容される電子機器を冷却させるための冷気１５０をコールドアイルへ送風する。空調機１００からコールドアイルへ送風された冷気１５０は、第１踊り場１７１から第２踊り場１７４に向かって下方へコールドアイルを流れる。
【００２６】
各踏面１７２の高さは、空調機１００から離れるのに比例して低くなる。よって、冷気１５０がコールドアイルを流れるのに伴い、冷気１５０が流れる位置と対応する各踏面１７２の高さが低くなる。冷気１５０は、高度が高い位置から低い位置へと流れる性質がある。そのため、送風された冷気１５０は、コールドアイルを降方向へスムーズに流れる。
【００２７】
各ラック１１０の吸気口１８０は、コールドアイルを流れる冷気１５０を吸引する。ラック１１０内へ吸引された冷気１５０によって、ラック１１０に収容される電子機器は冷却される。そして、電子機器を冷却することで、冷気１５０は熱気１６０になる。その後、熱気１６０は、ラック１１０の排気口からホットアイルへと排気される。
【００２８】
図３は、本発明の実施の形態１におけるデータセンタのホットアイルを側方から観察した図である。なお、図３は、説明の便宜の為に模式的に図示されている。
【００２９】
図３に示されるように、熱気１６０は、ラック１１０の排気口１９０からホットアイルへと排気される。ラック１１０から排気された熱気１６０は、各排気口１９０から空調機１００まで上方へ向かってホットアイルを流れる。
【００３０】
各踏面１７２の高さは、空調機１００へ近づくのに比例して高くなる。熱気１６０は、高度が低い位置から高い位置への流れる性質がある。よって、各排気口１９０から排気された熱気１６０は、ホットアイルを昇方向へスムーズに流れる。その後、各排気口１９０から排気された熱気１６０は、空調機１００により回収される。このように、空調機１００が、冷気１５０を送風し、熱気１６０を回収するエアフローが形成される。
【００３１】
空調機１００により回収された熱気１６０は、空調機１００により冷却される。そして、空調機１００は、再び冷気１５０をコールドアイルへ送風する。
【００３２】
なお、各踏面１７２の踏面寸法を、載置されるラック１１０の幅に応じて変更するようにしても良い。
【００３３】
また、踏面１７２の踏面寸法を蹴込面１７３の蹴上寸法よりも長くするようにしても良い。これによって、作業者にとって、ラック１１０に収容された各電子機器を確認する作業を行いやすくなる。
【００３４】
＜実施の形態１の効果＞
以上説明した実施の形態１におけるデータセンタによれば、空調機１００を、第１踊り場１７１に配置し、ラック１１０を階段１７０の昇降方向に列状に並べることでラック列１２０を構成することで、エアフローを作るのに必要な、空調機１００から送風される冷気１５０の風量を低減できるようになる。そして、空調機１００の冷気１５０を搬送するエネルギーを低減できるようになる。
【００３５】
[実施の形態２]
本実施の形態２が実施の形態１と異なる点は、実施の形態２の空調機１００が、床下および階段の下の空間である通風空間に向けて冷気１５０を送風する点である。以下、実施の形態２を実施の形態１と異なる点を主に図４〜図６を用いて説明する。
【００３６】
図４は、本発明の実施の形態２におけるデータセンタの構成例の概要を示す平面図である。図４に示されるように、コールドアイル１３０の床面の踏面１７２の一部は、格子状のグレーチング２１０で形成される。グレーチング２１０は、空調機１００の床下に形成される通風空間の上面の一部を覆う。グレーチング２１０には、通風空間から踏面１７２までを貫通する複数の通風孔が形成されている。よって、空調機１００が床下の通風空間に向けて送風した冷気１５０は、各グレーチング２１０の通風孔を介してコールドアイル１３０へと吹き出される。コールドアイル１３０へ吹き出された冷気１５０は、下方へ向かって階段１７０を流れる。各ラック１１０は、コールドアイル１３０を流れる冷気１５０を吸引し、排気口からホットアイル１４０へ熱気１６０を排気する。
【００３７】
ホットアイル１４０へ排気された熱気１６０は、ホットアイル１４０を上方へ向かって階段１７０を流れ、空調機１００により回収される。その後、空調機１００は再び冷気１５０を床下へと送風する。
【００３８】
なお、グレーチング２１０を、階段１７０の蹴込面に設けるようにしても良い。さらに階段１７０の踏面１７２および蹴込面にグレーチング２１０を設けるようにしても良い。
【００３９】
図５は、本発明の実施の形態２におけるデータセンタのコールドアイルを側方から観察した図である。図５に示されるように、空調機１００は、冷気１５０をデータセンタの床下に形成される通風空間へ向けて送風する。空調機１００から送風された冷気１５０は、下方に向かって通風空間を流れる。また、冷気１５０は、通風空間を流れた後、各グレーチング２１０からコールドアイルへと吹き出される。
【００４０】
各グレーチング２１０から吹き出された冷気１５０は、下方に向かってコールドアイルを流れる。
【００４１】
各ラック１１０の吸気口１８０は、コールドアイルを流れる冷気１５０を吸引する。ラック１１０内へ吸引された冷気１５０によって、ラック１１０に収容される電子機器は冷却される。そして、電子機器を冷却することで、冷気１５０は熱気１６０になる。その後、熱気１６０は、ラック１１０の排気口からホットアイルへと排気される。
【００４２】
なお、図６に示されるように、通風空間の上面を板状部材２００で覆うようにしても良い。これによって、冷気１５０が、階段の蹴込面１７３の内側の面にぶつかることを軽減できるようになる。そして、冷気１５０をよりスムーズに通風空間の下方に流すことができるようになる。この場合、板状部材２００のグレーチング２１０の下方の領域には、通気孔が形成される。また、通風空間の上面を板状部材２００で覆うことに替えて、通風空間の上面の一部の領域（つまり、通風空間の上面からグレーチング２１０の下方の領域を除く領域）を板状部材２００で覆うようにしても良い。
【００４３】
＜実施の形態２の効果＞
以上のように、本実施の形態２によれば、実施の形態１と同様の効果に加えて、冷気１５０と熱気１６０とが混ざることを防止できるようになる。
【００４４】
以上、本発明者によってなされた発明を実施の形態に基づき具体的に説明したが、本発明は前記実施の形態に限定されるものではなく、その要旨を逸脱しない範囲で種々変更可能であることはいうまでもない。
【符号の説明】
【００４５】
１００…空調機、１１０…ラック、１２０…ラック列、
１３０…コールドアイル、１４０…ホットアイル、１５０…冷気、１６０…熱気、
１７０…階段、１７１…第１踊り場、１７２…踏面、１７３…蹴込面、１７４…第２踊り場、
１８０…吸気口、１９０…排気口、
２００…板状部材、
２１０…グレーチング。
【図１】
2015197262.tif 000003
【図２】
2015197262.tif 000004
【図３】
2015197262.tif 000005
【図４】
2015197262.tif 000006
【図５】
2015197262.tif 000007
【図６】
2015197262.tif 000008